(57)【要約】【課題】  複数の画像データの比較を容易にする。【解決手段】  上記課題を解決するために、実施形態の医用診断装置は、表示手段に２つの画像データを線対称に表示させる医用診断装置であって、前記表示手段に表示される前記２つの画像データのうち基準となる画像データに対して表示画面上での移動を指示する操作部と、前記操作部からの指示に基づいて前記基準となる画像データを前記表示手段の表示画面上で移動させ、前記２つの画像データのうち前記基準となる画像データではない画像データに対して前記基準となる画像データの移動と線対称の移動を表示画面上でさせる表示態様制御部と、を備える。【選択図】図１０
2014233370.tif 000002
【特許請求の範囲】
【請求項１】
表示手段に２つの画像データを線対称に表示させる医用診断装置であって、
前記表示手段に表示される前記２つの画像データのうち基準となる画像データに対して表示画面上での移動を指示する操作部と、
前記操作部からの指示に基づいて前記基準となる画像データを前記表示手段の表示画面上で移動させ、前記２つの画像データのうち前記基準となる画像データではない画像データに対して前記基準となる画像データの移動と線対称の移動を表示画面上でさせる表示態様制御部と、
を備えた医用診断装置。
【請求項２】
前記操作部は、前記表示手段に表示される前記２つの画像データのうち基準となる画像データに対して表示画面上での回転を指示し、
前記表示態様制御部は、前記操作部からの指示に基づいて前記基準となる画像データを前記表示手段の表示画面上で回転させ、前記２つの画像データのうち前記基準となる画像データではない画像データに対して前記基準となる画像データの回転と線対称の回転を表示画面上でさせる請求項１に記載の医用診断装置。
【請求項３】
前記操作部は、前記表示手段に表示される前記２つの画像データのうち基準となる画像データに対して表示画面上での拡大を指示し、
前記表示態様制御部は、前記操作部からの指示に基づいて前記基準となる画像データを前記表示手段の表示画面上で回転させ、前記２つの画像データのうち前記基準となる画像データではない画像データに対して前記基準となる画像データの拡大と線対称の拡大を表示画面上でさせる請求項１又は２に記載の医用診断装置。
【請求項４】
前記２つの画像データを生成する画像データ生成部と、
前記画像データ生成部で生成された前記２つの画像データが前記表示手段に線対称で表示されるように画像処理を行なう画像データ処理部と、
を備えた請求項１乃至３のうちいずれか一つに記載の医用診断装置。
【請求項５】
表示手段に２つの画像データを線対称に表示させる医用診断装置であって、
前記表示手段に表示される前記２つの画像データのうち基準となる画像データに対して表示画面上での移動を指示する操作部と、
前記操作部からの指示に基づいて前記基準となる画像データを前記表示手段の表示画面上で移動させ、前記２つの画像データのうち前記基準となる画像データではない画像データに対して前記基準となる画像データの移動と線対称の移動を表示画面上でさせる表示態様制御部と、
を備えた画像処理装置。
【請求項６】
前記操作部は、前記表示手段に表示される前記２つの画像データのうち基準となる画像データに対して表示画面上での回転を指示し、
前記表示態様制御部は、前記操作部からの指示に基づいて前記基準となる画像データを前記表示手段の表示画面上で回転させ、前記２つの画像データのうち前記基準となる画像データではない画像データに対して前記基準となる画像データの回転と線対称の回転を表示画面上でさせる請求項５に記載の画像処理装置。
【請求項７】
前記操作部は、前記表示手段に表示される前記２つの画像データのうち基準となる画像データに対して表示画面上での拡大を指示し、
前記表示態様制御部は、前記操作部からの指示に基づいて前記基準となる画像データを前記表示手段の表示画面上で回転させ、前記２つの画像データのうち前記基準となる画像データではない画像データに対して前記基準となる画像データの拡大と線対称の拡大を表示画面上でさせる請求項５又は６に記載の画像処理装置。
【発明の詳細な説明】
【技術分野】
【０００１】
本発明の実施形態は、医用診断装置および画像処理装置に関する。
【背景技術】
【０００２】
医用診断装置で生成した複数の医用画像データを、モニタなどの表示手段に同時に表示させる技術がある。この技術では、モニタに表示された２つの医用画像データを医師が参照し比較する際、例えば医師が片方の画像データを時計回りに回転させる操作をすると、もう片方の画像データも同期し時計回りに回転する。あるいは、例えば医師が片方の画像データをモニタに対して右方向に移動させる操作をすると、もう片方の画像データも同期しモニタに対して右方向に移動する。上記の技術は、例えば左右非対称な部位の経過観察において基準となる画像データと最新の画像データとの比較を行う場合、非常に有効である。
【０００３】
しかしながら、例えばマンモグラフィ装置を使用して患者の乳房のＸ線撮影を行い、右乳房と左乳房といった患者の体軸に対して左右対称な部位を参照し比較したい場合において上記の技術を適用すると、両画像データが比較しづらい位置に移動してしまうという問題点がある。なお、この問題点の解決手段の一つとして、例えば特許文献１に記載の技術がある。
【先行技術文献】
【特許文献】
【０００４】
【特許文献１】国際公開第２００７／１０２５１０号
【発明の概要】
【発明が解決しようとする課題】
【０００５】
本発明が解決しようとする課題は、複数の画像データの比較を容易にすることである。
【課題を解決するための手段】
【０００６】
上記課題を解決するために、実施形態の医用診断装置は、表示手段に２つの画像データを線対称に表示させる医用診断装置であって、前記表示手段に表示される前記２つの画像データのうち基準となる画像データに対して表示画面上での移動を指示する操作部と、前記操作部からの指示に基づいて前記基準となる画像データを前記表示手段の表示画面上で移動させ、前記２つの画像データのうち前記基準となる画像データではない画像データに対して前記基準となる画像データの移動と線対称の移動を表示画面上でさせる表示態様制御部と、を備える。
【図面の簡単な説明】
【０００７】
【図１】実施形態におけるマンモグラフィ装置のブロック図。
【図２】実施形態におけるマンモグラフィ装置の概略図。
【図３】実施形態におけるフロー図。
【図４】実施形態において表示される基準データ及び処理対象データの概略図１。
【図５】実施形態における１回目の反転処理の概念図。
【図６】実施形態における位置合わせ処理の概念図。
【図７】実施形態における座標変換処理の概念図。
【図８】実施形態における２回目の反転処理の概念図。
【図９】実施形態において表示される基準データ及び処理対象データの概略図２。
【図１０】実施形態における移動操作の概念図。
【図１１】実施形態における回転操作の概念図。
【図１２】実施形態における拡大操作の概念図。
【図１３】変形例において表示される基準データ及び処理対象データの概略図。
【発明を実施するための形態】
【０００８】
以下、本発明の実施形態について図面を参照しながら説明する。
【０００９】
本実施形態では、医用診断装置について説明する。本実施形態において説明に用いる医用診断装置は、マンモグラフィ装置である。
【００１０】
まず、本実施形態におけるマンモグラフィ装置の構成を図１のブロック図と、図２の概略図を用いて説明する。
【００１１】
図１又は図２に示すように、本実施形態におけるマンモグラフィ装置１は、撮影部２とコンソール３を備える。撮影部２は、駆動機構４、Ｘ線管５、Ｘ線検出器６、スタンド１７、回転アーム１８、圧迫板１９を備える。コンソール３はシステム制御部７、画像データ処理部８、表示部９、操作部１０、画像データ生成部１１、記憶部１２、表示態様制御部１６を備える。画像データ処理部８は、反転処理部１３、位置合わせ処理部１４、座標変換処理部１５を備える。
【００１２】
駆動機構４は、システム制御部７からの指示に従って、回転アーム１８、圧迫板１９を駆動させる。なお、本実施形態の動作と回転アーム１８および圧迫板１９の動作は深く関係しないため、回転アーム１８と圧迫板１９の動作の詳細については割愛する。
【００１３】
Ｘ線管５は、システム制御部７からの指示に従ってＸ線を照射する。
【００１４】
Ｘ線検出器６は、Ｘ線管５から照射され患者を透過したＸ線に基づいて検出信号を生成する。Ｘ線検出器６は、生成した検出信号を画像データ生成部１１に送信する。
【００１５】
システム制御部７は、所定のタイミングで所定の操作画面データを生成し、生成した操作画面データを表示態様制御部１６に転送する。システム制御部７は、操作部１０を介したオペレータからの指示に従って、記憶部１２から表示態様制御部１６に転送された画像データの表示態様を変化させるように、表示態様制御部１６に対して指示する。システム制御部７は、操作部１０を介したオペレータからの指示に従って、Ｘ線管５がＸ線を照射するように指示する。システム制御部７は、操作部１０を介したオペレータからの指示に従って、記憶部１２に記憶された画像データを画像データ処理部８に転送させる。なお、画像データ処理部８に転送される画像データは、例えば撮影部２で撮影された同一患者に係る左乳房と右乳房の画像データであり、本実施形態では左乳房の画像データを基準データ、右乳房の画像データを処理対象データと呼称し、以下説明する。システム制御部７は、画像データ処理部８から転送され記憶部１２に記憶された処理対象データと、元々記憶部１２に記憶されていた基準データを表示態様制御部１６に転送する。
【００１６】
表示部９は、表示態様制御部１６から転送される操作画面データと画像データを表示する。
【００１７】
操作部１０は、例えば図２に示すようなマウス１０ａ、あるいは図示しないトラックボールや図示しないキーボードといった指示入力手段である。操作部１０は、オペレータの操作に基づいて、システム制御部７に指示する。
【００１８】
画像データ生成部１１は、Ｘ線検出器６から受信した検出信号に基づいて、画像データを生成する。画像データ生成部１１は、生成した画像データを記憶部１２に転送し、記憶させる。
【００１９】
記憶部１２は、例えばハードディスクなどの記憶手段であり、画像データ生成部１１から転送された画像データを記憶する。記憶部１２は、画像データ処理部８から転送された画像データを記憶する。
【００２０】
画像データ処理部８は、図示しないメモリなどの記憶手段を備え、記憶部１２から転送された基準データと処理対象データを当該メモリに一時的に記憶させる。なお、画像データ処理部８の記憶手段を第１メモリと呼称し、以下説明する。画像データ処理部８は、第１メモリに記憶された処理対象の処理対象データに対して１回目の反転処理を実施するように、反転処理部１３に指示する。画像データ処理部８は、１回目の反転処理が実施された処理対象データに対して、第１メモリに記憶された基準データに基づく位置合わせ処理を実施するように、位置合わせ処理部１４に指示する。画像データ処理部８は、位置合わせ処理が実施された処理対象データに対して、第１メモリに記憶された基準データに基づく座標変換処理を実施するように、座標変換処理部１５に指示する。画像データ処理部８は、座標変換処理が実施された処理対象データに対して、２回目の反転処理を実施するように、反転処理部１３に対して指示する。画像データ処理部８は、２回目の反転処理が実施された処理対象データを記憶部１２に転送させる。
【００２１】
反転処理部１３は、画像データ処理部８からの指示に従って、第１メモリに一時的に記憶された処理対象データに対して１回目の反転処理を実施する。反転処理部１３は、画像データ処理部８からの指示に従って、座標変換処理が実施された処理対象データに対して２回目の反転処理を実施する。
【００２２】
位置合わせ処理部１４は、画像データ処理部８からの指示に従って、１回目の反転処理が実施された処理対象データに対して、第１メモリに一時的に記憶された基準データに基づく位置合わせ処理を実施する。
【００２３】
座標変換処理部１５は、画像データ処理部８からの指示に従って、位置合わせ処理が実施された処理対象データに対して、第１メモリに一時的に記憶された基準データに基づく座標変換処理を実施する。
【００２４】
なお、上述の１回目の反転処理、位置合わせ処理、座標変換処理、２回目の反転処理の詳細については後述する。
【００２５】
表示態様制御部１６は、図示しないメモリなどの記憶手段を備え、記憶部１２から転送された操作画面データ、画像データを、当該メモリに一時的に記憶させる。なお、表示態様制御部１６の記憶手段を第２メモリと呼称し、以下説明する。表示態様制御部１６は、第２メモリに記憶された操作画面データ、画像データを、所定の表示態様に制御し、表示部９に転送する。表示態様制御部１６は、システム制御部７からの指示に従って、表示部９に転送する画像データの表示態様を変化させ、表示部９に転送する。なお、表示態様制御部による画像データの表示態様制御の詳細については、後述する。
【００２６】
次に、本実施形態の動作を、図３のフロー図を用いて説明する。
【００２７】
ステップＳ１において、被検体の左右の乳房について、Ｘ線画像の撮像を行い、基準データ及び処理対象データを生成させる。具体的には、例えば、被検体の左右の乳房を片方ずつＸ線検出器６と圧迫板１９の間に挟ませた状態で、オペレータが操作部１０からシステム制御部７にＸ線照射の指示をし、システム制御部７は操作部１０を介したオペレータからの指示に従って、Ｘ線管５にＸ線を照射させる。Ｘ線検出器６は、Ｘ線管５から照射され患者を透過したＸ線に基づいて検出信号を生成する。Ｘ線検出器６は、生成した検出信号を画像データ生成部１１に送信する。画像データ生成部１１は、Ｘ線検出器６から受信した検出信号に基づいて、左乳房に係る基準データと、右乳房に係る処理対象データ生成する。画像データ生成部１１は、生成した基準データと処理対象データを記憶部１２に転送し、記憶させる。
【００２８】
ステップＳ２において、オペレータは、システム制御部７に所定の操作画面を表示部９に表示させるように、操作部１０を介して指示する。システム制御部７は、所定の操作画面を生成し、表示態様制御部１６に転送する。表示態様制御部１６は、上述のメモリに当該操作画面を記憶し、所定の表示態様に制御して表示部９に転送する。表示部９は当該操作画面を表示する。なお、ここで表示される操作画面は、例えば記憶部１２に記憶された画像データのリストである。オペレータは、当該リストから、ステップＳ１で生成された基準データと処理対象データを、操作部１０を介して選択する。基準データと処理対象データがオペレータによって選択されると、システム制御部７は、オペレータによって選択され記憶部１２に記憶された当該基準データ及び当該処理対象データを表示態様制御部１６に転送させる。表示態様制御部１６は、上述の第２メモリに当該基準データ及び当該処理対象データを記憶し、所定の表示態様に制御して表示部９に転送する。表示部９は当該基準データ及び当該処理対象データを表示する。
【００２９】
図４は、ステップＳ２において表示部９に表示される基準データ及び処理対象データの概略図である。なお、図４に示す像２２と像２４は、マンモグラフィ装置によって生成された画像データを模式的に表したものである。本実施形態における基準データ２１の像２２の位置は、例えば表示部９に表示される基準データ２２の表示画面の中央ｏを原点とする座標（ｘ，ｙ）で表現される。本実施形態において、像２２の代表部位ａの座標を（−ｘ１，−ｙ１）とする。ここで、ｘ１、ｘ２は正の値である。一方で、ここでの処理対象データ２３の像２４の位置は、例えば表示部９に表示される処理対象データ２３の表示画面の中央ｐを原点とする座標（ｍ，ｎ）で表現される。本実施形態において、ここでの像２４の代表部位ｂの座標（ｍ１，−ｎ１）とする。ここでｍ１、ｎ１は正の値である。
【００３０】
ステップＳ３において、オペレータは、操作部１０を介して、基準データ２１と処理対象データ２３の比較を行う旨を、システム制御部７に対して指示する。オペレータによって基準データ２１と処理対象データ２３の比較を行う旨が指示されると、システム制御部７は、記憶部１２に記憶されており、ステップＳ２において表示態様制御部１６に転送した基準データ２１および処理対象データ２３と同じデータを、画像データ処理部８に転送する。画像データ処理部８は、記憶部１２から転送された基準データと処理対象データを上述の第１メモリに一時的に記憶させる。
【００３１】
ステップＳ４において、画像データ処理部８は、第１メモリに記憶された処理対象の処理対象データに対して１回目の反転処理を実施するように、反転処理部１３に指示する。反転処理部１３は、画像データ処理部８からの指示に従って、第１メモリに一時的に記憶された処理対象データ２３に対して１回目の反転処理を実施する。
【００３２】
図５は、１回目の反転処理の概念図である。この処理は、例えば処理対象データ２３のｍ成分に−１を乗算する処理であり、１回目の反転処理によって、処理対象データ２３の像２４の代表部位ｂの座標は、（−ｍ１，−ｎ１）となる。
【００３３】
ステップＳ５において、画像データ処理部８は、１回目の反転処理が実施された処理対象データ２３に対して、第１メモリに記憶された基準データ２１に基づく位置合わせ処理を実施するように、位置合わせ処理部１４に指示する。位置合わせ処理部１４は、画像データ処理部８からの指示に従って、１回目の反転処理が実施された処理対象データ２３に対して、第１メモリに一時的に記憶された基準データ２１に基づく位置合わせ処理を実施する。
【００３４】
図６は、位置合わせ処理の概念図である。この処理は、例えば基準データ２１と１回目の反転処理が実施された処理対象データ２３の画素値の差が最小となるように、１回目の反転処理が実施された処理対象データ２３を移動させる処理であり、位置合わせ処理によって処理対象データ２３の像２４の代表部位ｂの座標は、（−ｍ２，−ｎ２）となる。ここで、ｍ２、ｎ２は正の値である。
【００３５】
ステップＳ６において、画像データ処理部８は、位置合わせ処理が実施された処理対象データ２３に対して、第１メモリに記憶された基準データ２１に基づく座標変換処理を実施するように、座標変換処理部１５に指示する。座標変換処理部１５は、画像データ処理部８からの指示に従って、位置合わせ処理が実施された処理対象データ２３に対して、第１メモリに一時的に記憶された基準データ２１に基づく座標変換処理を実施する。
【００３６】
図７は、座標変換処理の概念図である。この処理は、例えば位置合わせ処理が実施された処理対象データ２３の属する座標系を、基準データ２１の属する座標系に変換する処理であり、座標変換処理によって処理対象データ２３の像２４の代表部位ｂの座標は、（−ｘ１，−ｙ１）となる。
【００３７】
ステップＳ７において、画像データ処理部８は、座標変換処理が実施された処理対象データ２３に対して、２回目の反転処理を実施するように、反転処理部１３に対して指示する。反転処理部１３は、画像データ処理部８からの指示に従って、座標変換処理が実施された処理対象データに対して２回目の反転処理を実施する。
【００３８】
図８は、２回目の反転処理の概念図である。この処理は、例えば座標変換処理が実施された処理対象データ２３のｘ成分に−１を乗算する処理であり、２回目の反転処理によって、処理対象データ２３の像２４の代表部位ｂの座標は、（ｘ１，−ｙ１）となる。
【００３９】
ステップＳ８において、画像データ処理部８は、２回目の反転処理が実施された処理対象データ２３を記憶部１２に転送し、記憶部１２に記憶させる。記憶部１２に２回目の反転処理が実施された処理対象データ２３が記憶されると、システム制御部７は、画像データ処理部８から転送され記憶部１２に記憶された処理対象データ２３と、元々記憶部１２に記憶されていた基準データ２１を表示態様制御部１６に転送する。表示態様制御部１６は、上述の第２メモリに当該基準データ及び当該処理対象データを記憶し、所定の表示態様に制御して表示部９に転送する。また、このとき、システム制御部７は、所定の操作画面データを生成し、生成した操作画面データを表示態様制御部１６に転送する。表示態様制御部１６は、上述の第２メモリに当該操作画面データを記憶し、表示部９に転送する。結果として、表示部９は、表示態様制御部１６から転送された当該基準データ２１及び当該処理対象データ２３、当該操作画面データを表示する。なお、ここでの操作画面データは、例えば移動、回転、拡大を選択するための操作種類選択メニューである。
【００４０】
図９は、ステップＳ８において表示部９に表示される基準データ２１及び処理対象データ２３、操作種類選択メニュー２５の概略図である。表示部９には、当該基準データ２１、当該処理対象データ２３、操作種類選択メニュー２５の他に、操作部１０を介したオペレータからの指示と連動するカーソル３１が表示される。オペレータは、操作部１０を操作することでカーソル３１を移動させ、例えば基準データ２１や操作種類選択メニュー２５を操作する。
【００４１】
ステップＳ９において、オペレータは、操作部１０を介して、例えば操作種類選択メニュー２５に設けられた移動、回転、拡大などの操作項目を選択する。また、操作項目を選択した後、オペレータは、操作部１０を介して基準データ２１の移動、回転、拡大といった表示態様の変化を指示する。
【００４２】
図１０は、移動操作によって基準データ２１および処理対象データ２３の表示態様を変化させる場合の概念図である。まず、オペレータは、操作部１０を介して、操作種類選択メニュー２５の移動に該当する操作項目を選択する。その後、オペレータは、操作部１０を介して、例えば基準データ２１の像２２をカーソル３１で指定し、代表部位ａの座標を（−ｘ１，−ｙ１）から（ｘ２，−ｙ１）にする指示、即ち基準データ２１の像２２を紙面左方向に移動させる指示を、システム制御部７に対して出す。ここでｘ２は正の値である。システム制御部７は、操作部１０を介したオペレータからの指示に従って、基準データ２１の像２２の代表部位ａの座標を（−ｘ１，−ｙ１）から（ｘ２，−ｙ１）に変化させるように、表示態様制御部１６に対して指示する。表示態様制御部１６は、例えばステップＳ８において第２メモリに記憶された基準データ２１のｘ成分に｜ｘ２−（−ｘ１）｜だけ加え、表示部９に転送する。一方で、システム制御部７は、処理対象データ２３の像２４の代表部位ｂの座標を（ｘ１，−ｙ１）から（−ｘ２，−ｙ１）に変化させるように、表示態様制御部１６に対して指示する。表示態様制御部１６は、例えばステップ８において第２メモリに記憶された基準データ２１のｘ成分から｜ｘ２−（−ｘ１）｜だけ引いて、表示部９に転送する。結果として、表示部９には、像２２が紙面左方向に｜ｘ２−（−ｘ１）｜だけ移動した基準データ２１と、像２４が紙面右方向に｜ｘ２−（−ｘ１）｜だけ移動した処理対象データ２３とが表示される。即ち、基準データ２１と処理対象データ２３は、線対称に移動したことになる。
【００４３】
図１１は、回転操作によって基準データ２１および処理対象データ２３の表示態様を変化させる場合の概念図である。まず、オペレータは、操作部１０を介して、操作種類選択メニュー２５の回転に該当する操作項目を選択する。その後、オペレータは、操作部１０を介して、例えば基準データ２１の像２２をカーソル３１で指定し、像２２を角度Θだけ時計回りに回転させる指示を、システム制御部７に対して出す。なお、本実施形態における基準データ２１の像２２の回転は、例えば基準データ２１の表示画面の中央ｏを中心とした回転である。システム制御部７は、操作部１０を介したオペレータからの指示に従って、像２２を角度Θだけ時計回りに回転させるように、表示態様制御部１６に対して指示する。表示態様制御部１６は、例えば下記の数式（１）で表現されるような回転操作を基準データ２１に行い、表示部９に転送する。なお、数式（１）において、（ｘ３，ｙ２）は回転操作後の代表部位ａの座標であり、ｘ３、ｙ２は正の値である。
【数１】
2014233370.tif 000003
【００４４】
一方で、システム制御部７は、処理対象データ２３の像２４を角度Θだけ反時計回りに回転させるように、表示態様制御部１６に対して指示する。表示態様制御部１６は、例えば下記の数式（２）で表現されるような回転操作を処理対象データ２３に行い、表示部９に転送する。なお、数式（２）において、（−ｘ３，ｙ２）は回転操作後の代表部位ｂの座標である
【数２】
2014233370.tif 000004
【００４５】
結果として、表示部９には、像２２が時計回りにΘだけ回転した基準データ２１と、像２４が半時計回りにΘだけ回転した処理対象データ２３とが表示される。即ち、基準データ２１と処理対象データ２３は、線対称に回転したことになる。
【００４６】
図１２は、拡大操作によって基準データ２１および処理対象データ２３の表示態様を変化させる場合の概念図である。まず、オペレータは、操作部１０を介して、操作種類選択メニュー２５の拡大に該当する操作項目を選択する。その後、オペレータは、操作部１０を介して、例えば基準データ２１の拡大させたい位置を指定し、指定した位置を基準データ２１の中央ｏに移動させ所定の拡大率で拡大させる指示を、システム制御部７に対して出す。なお、本実施形態において、オペレータが指定する位置は、例えば図１１における代表部位ａの位置であり、所定の拡大率は２００％である。システム制御部７は、操作部１０を介したオペレータからの指示に従って、代表部位ａの位置を基準データ２１の中央ｏに移動させ所定の拡大率で拡大させるように、表示態様制御部１６に対して指示する。表示態様制御部１６は、例えば図１１を用いて説明した状態の基準データ２１のｘ成分からｘ３、ｙ成分からｙ２だけ引き、その後ｘ成分とｙ成分を２倍にした上で表示部９に転送する。一方で、システム制御部７は、代表部位ｂの位置を処理対象データ２３の中央ｏに移動させ所定の拡大率で拡大させるように、表示態様制御部１６に対して指示する。表示態様制御部１６は、例えば図１１を用いて説明した状態の処理対象データ２３のｘ成分にｘ３だけ加え、ｙ成分からｙ２だけ引き、その後ｘ成分とｙ成分を２倍にした上で表示部９に転送する。結果として、表示部９には、代表部位ａが基準データ２１の中央ｏに位置した状態で２倍に拡大された基準データ２１と、代表部位ｂが処理対象データ２３の中央ｏに位置した状態で２倍に拡大された処理対象データ２３とが表示される。即ち、基準データ２１と処理対象データ２３は、線対称に拡大したことになる。
【００４７】
ステップＳ１０において、オペレータは、表示部９に表示された基準データ２１と処理対象データ２３を参照し比較する。
【００４８】
以上説明したように、本実施形態における医用診断装置１は、基準データ２１と処理対象データ２３を線対称に表示させ、基準データ２１に対して行った操作を、当該線対称を維持するように処理対象データ２３に適用する。これによって、オペレータは、２枚の画像データを参照する際、比較を容易に行えるようになる。
【００４９】
本実施形態では、医用診断装置がマンモグラフィ装置である場合について説明したが、他のＸ線診断装置でも良い。あるいは、Ｘ線ＣＴ装置、超音波診断装置、ＭＲＩ装置、核医学診断装置でも良い。
【００５０】
本実施形態では、オペレータによって指示できる操作項目が移動、回転、拡大である場合を説明したが、縮小などの別の操作項目を有していても良い。また、本実施形態では、拡大率が２００％である場合を説明したが、例えば拡大に該当する操作項目を選択した際に拡大率を任意に設定できるような仕様であっても良い。
【００５１】
本実施形態では、比較する画像が２次元の画像データである場合について説明したが、３次元の画像データであっても良い。また、例えば３次元の画像データからＭＰＲ（Ｍｕｌｔｉ  Ｐｌａｎａｒ  Ｒｅｃｏｎｓｔｒｕｃｔｉｏｎ）機能で任意の断面を抽出し、抽出した断面で比較を行う場合においても適用できる。
【００５２】
本実施形態では、反転の中心線が画像データの表示画面の中央ｏを通る直線である場合について説明したが、オペレータが任意に直線を設定しその線を基に反転させても良い。また、本実施形態では、回転操作の中心が画像データの表示画面の中心ｏである場合について説明したが、中心ｏでなくとも良い。更に、本実施形態では、拡大操作をする際にオペレータが指定した位置を中心ｏに移動させてから拡大させる場合について説明したが、中心ｏに移動させてから拡大させなくとも良い。
【００５３】
本実施形態では、被検体の乳房に係る画像データを比較する場合について説明したが、例えば被検体の頭部、胸部、上下肢といった左右差の比較が有用な部位の画像データの比較を行う場合に特に有効である。
【００５４】
図１３は、脳の３次元画像を参照する場合における表示例を示す概略図である。図１３（ａ）および図１３（ｂ）に示すように、例えば表示部９には、右脳の正面方向（正面ａ）の画像データに相当する基準データ２１、左脳の正面方向（正面ｂ）の画像データに相当する処理対象データ２３が表示される。また、図１３（ａ）および図１３（ｃ）に示すように、例えば表示部９には、右脳の側面方向（側面ａ）の画像データに相当する基準データ２１、左脳の側面方向（側面ｂ）の画像データに相当する処理対象データ２３が表示される。オペレータは、例えば、移動操作、回転操作、拡大操作、縮小操作を駆使することで、図１３（ｂ）に示す状態から図１３（ｃ）に示す状態に変化させることができる。
【００５５】
本実施形態では、医用診断装置１が表示手段である表示部９を備える場合について説明したが、医用診断装置１が備えない外付けの表示手段に対して表示を行っても良い。
【００５６】
本実施形態は、例えばシステム制御部７、画像データ処理部８、表示態様制御部１６を有する画像処理装置についても適用できる。
【００５７】
以上、本発明の実施形態を説明したが、これらの実施形態は例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
１・・・医用診断装置
２・・・撮影部
３・・・コンソール
４・・・駆動機構
５・・・Ｘ線管
６・・・Ｘ線検出器
７・・・システム制御部
８・・・画像データ処理部
９・・・表示部
１０・・・操作部
１１・・・画像データ生成部
１２・・・記憶部
１３・・・反転処理部
１４・・・位置合わせ処理部
１５・・・座標変換処理部
１６・・・表示態様制御部
１７・・・スタンド
１８・・・回転アーム
１９・・・圧迫板
２１・・・基準データ
２２、２４・・・像
２３・・・処理対象データ
２５・・・操作種類選択メニュー
３１・・・カーソル
【図１】
2014233370.tif 000005
【図２】
2014233370.tif 000006
【図３】
2014233370.tif 000007
【図４】
2014233370.tif 000008
【図５】
2014233370.tif 000009
【図６】
2014233370.tif 000010
【図７】
2014233370.tif 000011
【図８】
2014233370.tif 000012
【図９】
2014233370.tif 000013
【図１０】
2014233370.tif 000014
【図１１】
2014233370.tif 000015
【図１２】
2014233370.tif 000016
【図１３】
2014233370.tif 000017